(57)【特許請求の範囲】
【請求項１】
セル内のユーザを、セル端ユーザと、セル中心ユーザとに分類し、
セル端ユーザと、セル中心ユーザとに対して、周波数リソースを割り当て、
セル間干渉に応じて、本セル内の周波数リソースの干渉レベルを取得し、
隣接セルから本セルに対する干渉の変化動向を記録し、
前記本セル内の周波数リソースの干渉レベルに応じて本セル内の周波数リソースを調整し、隣接セルから本セルに対する干渉の変化動向に応じて本セル内のユーザのリソースサブセット間のパワー上限値の差を調整することによって、セル間干渉を調整する
セル間干渉制御方法。
【請求項２】
セル内のユーザを、セル端ユーザと、セル中心ユーザとに分類し、セル端ユーザと、セル中心ユーザとに対して、周波数リソースを割り当てるステップは、
セル内の周波数リソースを、複数のリソースサブセットに分類し、
１つのリソースサブセットを、各セル端ユーザに割り当て、
残りのリソースサブセットを、セル中心ユーザに割り当て、
前記リソースサブセットの数は、セル中のセクタ数以上である
請求項１に記載の方法。
【請求項３】
前記セル間干渉を調整するステップは、
セル負荷値を算出し、
セル負荷値と予め設定されたセル負荷閾値を比較し、
セル負荷値が予め設定されたセル負荷閾値以下である場合、本セル内のリソースサブセットを調整し、
セル負荷値が予め設定されたセル負荷閾値より大きい場合、本セル内のリソースサブセットを調整し、セル内のユーザに対応するリソースサブセット間のパワー上限値の差を調整する
請求項２に記載の方法。
【請求項４】
前記セル負荷値が予め設定されたセル負荷閾値以下である場合、本セル内のリソースサブセットを調整するステップは、
ユーザに割り当てられたリソースサブセットの干渉レベルが、前記リソースサブセットの予め設定された干渉レベル閾値より大きい場合、前記予め設定された干渉レベル閾値より小さい干渉レベルのリソースサブセットを、前記予め設定された干渉レベル閾値より大きい干渉レベルのリソースサブセットに対応するユーザに割り当てる
請求項３に記載の方法。
【請求項５】
前記セル負荷値が予め設定されたセル負荷閾値より大きい場合、本セル内のリソースサブセットを調整し、セル内のユーザに対応するリソースサブセット間のパワー上限値の差を調整するステップは、
ユーザに割り当てられたリソースサブセットの干渉レベルが、前記リソースサブセットの予め設定された干渉レベル閾値より大きい場合、前記予め設定された干渉レベル閾値より小さい干渉レベルのリソースサブセットを、前記予め設定された干渉レベル閾値より大きい干渉レベルのリソースサブセットに対応するユーザに割り当て、
隣接セル内のセル中心ユーザから本セルに対する干渉の変化動向と、隣接セル内のセル端ユーザから本セルに対する干渉の変化動向とに応じて、本セル内のセル中心ユーザに対応するリソースサブセットとセル端ユーザに対応するリソースサブセットとの間のパワー上限値の差を調整する
請求項３に記載の方法。
【請求項６】
セル内のユーザを、セル端ユーザと、セル中心ユーザとに分類するユーザタイプ分類モジュールと、
前記セル端ユーザと、セル中心ユーザに対して、周波数リソースを割り当て、セル間干渉に応じて、本セル内の周波数リソースの干渉レベルを取得し、隣接セルから本セルに対する干渉の変化動向を記録する干渉レベル処理モジュールと、
前記本セル内の周波数リソースの干渉レベルに応じて、本セル内の周波数リソースを調整するリソース制御モジュールと、
隣接セルから本セルに対する干渉の変化動向に応じて、本セル内のユーザのリソースサブセット間のパワー上限値の差を調整するパワー制御モジュールと
を含むセル間干渉制御を実現する基地局。
【請求項７】
前記干渉レベル処理モジュールは、
セル内の周波数リソースを、複数のリソースサブセットに分類し、
１つのリソースサブセットを、各セル端ユーザに割り当て、
残りのリソースサブセットを、セル中心ユーザに割り当て、
前記リソースサブセットの数は、セル中のセクタ数以上である
請求項６に記載のセル間干渉制御を実現する基地局。
【請求項８】
前記干渉レベル処理モジュールは、さらに、
リソースサブセットの干渉レベル閾値を予め設定し、
リソースサブセットの干渉レベルと、前記干渉レベル閾値とを比較する
請求項７に記載のセル間干渉制御を実現する基地局。
【請求項９】
前記リソース制御モジュールは、さらに、
予め設定された干渉レベル閾値より小さい干渉レベルのリソースサブセットを、予め設定された干渉レベル閾値より大きい干渉レベルのリソースサブセットに対応するユーザに割り当てる
請求項８に記載のセル間干渉制御を実現する基地局。
【請求項１０】
セル負荷閾値を予め設定し、セル負荷値と、前記セル負荷閾値とを比較する負荷算出モジュール
を更に含む請求項８に記載のセル間干渉制御を実現する基地局。
【請求項１１】
前記パワー制御モジュールは、さらに、
セル負荷値がセル負荷閾値より大きい場合、隣接セル内のセル中心ユーザから本セルに対する干渉の変化動向と、隣接セル内のセル端ユーザから本セルに対する干渉の変化動向とに応じて、前記本セル内のセル中心ユーザに対応するリソースサブセットとセル端ユーザに対応するリソースサブセットとの間のパワー上限値の差を調整する
請求項１０に記載のセル間干渉制御を実現する基地局。
【発明の詳細な説明】
【技術分野】
【０００１】
本発明は無線通信分野に関し、特に、セル間干渉制御を実現する基地局及びセル間干渉制御方法に関する。
【背景技術】
【０００２】
直交波周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）は、次世代無線通信技術の到達点として、無線通信システムにおいてますます優勢となり、複数の規格に採用されている。ＯＦＤＭシステムの主な技術的特長は、以下の点にある。すなわち、ＯＦＤＭシステムは、スペクトル効率が高く、帯域幅の拡張性に優れ、マルチパスフェージングに対する抵抗力が強く、スペクトル資源を柔軟に割り当てることができ、空間ダイバーシティ技術（例えば、多入力多出力（ＭＩＭＯ：Ｍｕｌｔｉｐｌｅ−Ｉｎｐｕｔ  Ｍｕｌｔｉｐｌｅ−Ｏｕｔｐｕｔ）技術）を実現することができる。
【０００３】
ＯＦＤＭシステムは、従来の無線セルラーネットワークと同様に、周波数多重化因子（ｆｒｅｑｕｅｎｃｙ  ｍｕｌｔｉｐｌｅｘｉｎｇ  ｆａｃｔｏｒ）を低減することで、周波数スペクトルの利用率を高めている。ＯＦＤＭシステムでは、セル内干渉は完全に排除される。しかし、共通周波数干渉ソースが近くに位置するにつれて、周波数多重化因子が減少し、これにより、セル間干渉（Ｉｎｔｅｒ−Ｃｅｌｌ  Ｉｎｔｅｒｆｅｒｅｎｃｅ）が増加する。
【発明の概要】
【発明が解決しようとする課題】
【０００４】
本発明の目的は、ＯＦＤＭシステム中のセル間干渉レベルを正確かつ適時に低減させ、システムのサービス能力を向上させることが可能な、セル間干渉制御を実現する基地局及びセル間干渉制御方法を提供することにある。
【課題を解決するための手段】
【０００５】
本発明に係るセル間干渉制御方法は、
セル内のユーザを、セル端ユーザと、セル中心ユーザとに分類し、
セル端ユーザと、セル中心ユーザとに対して、周波数リソースを割り当て、
セル間干渉に応じて、本セル内の周波数リソースの干渉レベルを取得し、
隣接セルから本セルに対する干渉の変化動向を記録し、
前記本セル内の周波数リソースの干渉レベルと、隣接セルから本セルに対する干渉の変化動向とに応じて、セル間干渉を調整する。
【０００６】
好ましくは、セル内のユーザを、セル端ユーザと、セル中心ユーザとに分類し、セル端ユーザと、セル中心ユーザとに対して、周波数リソースを割り当てるステップは、
セル内の周波数リソースを、複数のリソースサブセットに分類し、
１つのリソースサブセットを、各セル端ユーザに割り当て、
残りのリソースサブセットを、セル中心ユーザに割り当て、
前記リソースサブセットの数は、セル中のセクタ数以上である。
【０００７】
好ましくは、前記セル間干渉を調整するステップは、
セル負荷値を算出し、
セル負荷値と予め設定されたセル負荷閾値を比較し、
セル負荷値が予め設定されたセル負荷閾値以下である場合、本セル内のリソースサブセットを調整し、
セル負荷値が予め設定されたセル負荷閾値より大きい場合、本セル内のリソースサブセットを調整し、セル内のユーザに対応するリソースサブセット間のパワー上限値の差を調整する。
【０００８】
好ましくは、前記セル負荷値が予め設定されたセル負荷閾値以下である場合、本セル内のリソースサブセットを調整するステップは、
ユーザに割り当てられたリソースサブセットの干渉レベルが、前記リソースサブセットの予め設定された干渉レベル閾値より大きい場合、前記予め設定された干渉レベル閾値より小さい干渉レベルのリソースサブセットを、前記予め設定された干渉レベル閾値より大きい干渉レベルのリソースサブセットに対応するユーザに割り当てる。
【０００９】
好ましくは、前記セル負荷値が予め設定されたセル負荷閾値より大きい場合、本セル内のリソースサブセットを調整し、セル内のユーザに対応するリソースサブセット間のパワー上限値の差を調整するステップは、
ユーザに割り当てられたリソースサブセットの干渉レベルが、前記リソースサブセットの予め設定された干渉レベル閾値より大きい場合、前記予め設定された干渉レベル閾値より小さい干渉レベルのリソースサブセットを、前記予め設定された干渉レベル閾値より大きい干渉レベルのリソースサブセットに対応するユーザに割り当て、
隣接セル内のセル中心ユーザから本セルに対する干渉の変化動向と、隣接セル内のセル端ユーザから本セルに対する干渉の変化動向とに応じて、本セル内のセル中心ユーザに対応するリソースサブセットとセル端ユーザに対応するリソースサブセットとの間のパワー上限値の差を調整する。
【００１０】
本発明に係るセル間干渉制御を実現する基地局は、
セル内のユーザを、セル端ユーザと、セル中心ユーザとに分類するユーザタイプ分類モジュールと、
前記セル端ユーザと、セル中心ユーザに対して、周波数リソースを割り当て、セル間干渉に応じて、本セル内の周波数リソースの干渉レベルを取得し、隣接セルから本セルに対する干渉の変化動向を記録する干渉レベル処理モジュールと、
前記本セル内の周波数リソースの干渉レベルに応じて、本セル内の周波数リソースを調整するリソース制御モジュールと、
隣接セルから本セルに対する干渉の変化動向に応じて、本セル内のユーザのリソースサブセット間のパワー上限値の差を調整するパワー制御モジュールとを含む。
【００１１】
好ましくは、前記干渉レベル処理モジュールは、
セル内の周波数リソースを、複数のリソースサブセットに分類し、
１つのリソースサブセットを、各セル端ユーザに割り当て、
残りのリソースサブセットを、セル中心ユーザに割り当て、
前記リソースサブセットの数は、セル中のセクタ数以上である。
【００１２】
好ましくは、前記干渉レベル処理モジュールは、さらに、
リソースサブセットの干渉レベル閾値を予め設定し、
リソースサブセットの干渉レベルと、前記干渉レベル閾値とを比較する。
【００１３】
好ましくは、前記リソース制御モジュールは、さらに、
予め設定された干渉レベル閾値より小さい干渉レベルのリソースサブセットを、予め設定された干渉レベル閾値より大きい干渉レベルのリソースサブセットに対応するユーザに割り当てる。
【００１４】
好ましくは、前記基地局は、セル負荷閾値を予め設定し、セル負荷値と、前記セル負荷閾値とを比較する負荷算出モジュールを更に含む。
【００１５】
好ましくは、前記パワー制御モジュールは、さらに、
セル負荷値がセル負荷閾値より大きい場合、隣接セル内のセル中心ユーザから本セルに対する干渉の変化動向と、隣接セル内のセル端ユーザから本セルに対する干渉の変化動向とに応じて、前記本セル内のセル中心ユーザに対応するリソースサブセットとセル端ユーザに対応するリソースサブセットとの間のパワー上限値の差を調整する。
【発明の効果】
【００１６】
本発明に係るセル間干渉制御を実現する基地局及びセル間干渉制御方法によれば、リソース制御モジュールは、セル内のユーザに、低い干渉レベルのリソースサブセットを割り当てる。パワー制御モジュールは、隣接セルから本セルに対する干渉の変化動向に応じて、本セル内のユーザのリソースサブセット間のパワー上限値の差を調整する。これにより、セル間干渉レベルを効率的に低減させ、セル間干渉レベルを理想的な均衡状態に調整し、基地局のサービス能力を向上させる。
【図面の簡単な説明】
【００１７】
【図１】本発明に係るセル間干渉制御を実現する基地局の構造を示す図である。
【図２】本発明に係る基地局における干渉レベル処理モジュールの構造を示す図である。
【図３】本発明に係るセルユーザタイプ分類と、周波数リソース割り当てとを示す図である。
【図４】本発明に係るセル中の周波数リソース分類方式を示す図である。
【図５】本発明に係るセル間干渉制御方法のフローチャートである。
【図６】本発明に係るセルのリソースサブセット調整方法のフローチャートである。
【図７】本発明に係るセルのリソースサブセットのパワー調整方法のフローチャートである。
【図８】本発明に係るセルのアップリンクパワー制御方法のフローチャートである。
【図９】本発明に係るロング・ターム・エボリューション（ＬＴＥ：Ｌｏｎｇ  Ｔｅｒｍ  Ｅｖｏｌｕｔｉｏｎ）システムにおけるアップリンク準静的干渉調整方法のフローチャートである。
【図１０】本発明に係るＬＴＥシステムにおけるダウンリンク準静的干渉調整方法のフローチャートである。
【発明を実施するための形態】
【００１８】
以下、図面と具体的な実施形態を合わせて本発明を更に詳しく説明する。
【００１９】
本発明は、セル間干渉レベルを効率的に低減させ、セル間干渉レベルを理想的な均衡状態に調整することを目的とする。この目的を達成するため、本発明に係る基地局は、リソース制御モジュールと、パワー制御モジュールとを付加的に有する。リソース制御モジュールは、セル内のユーザに割り当てられた周波数リソースを調整する。パワー制御モジュールは、セル内のユーザのリソースサブセット間のパワー上限値の差を調整する。
【００２０】
本発明の実施形態によれば、セル間干渉制御を実現可能な基地局が開示される。図１に示すように、具体的に、セル間干渉制御を実現可能な基地局は、ユーザタイプ分類モジュール１０、干渉レベル処理モジュール２０、負荷算出モジュール３０、リソース制御モジュール４０及びパワー制御モジュール５０を含む。
【００２１】
ユーザタイプ分類モジュール１０は、セル内のユーザタイプを分類し、これにより、各セル内のユーザを、セル端ユーザとセル中心ユーザとに分類する。セル内において、セル端ユーザが位置する領域をセル端領域と称し、セル中心ユーザが位置する領域をセル中心領域と称する。図３に示すように、各セルには３つのセクタが含まれる。各セクタは、図中、大きい六角形で示される。各セクタ中のハッチング部分ａはセル端領域であり、中心の小さい六角形領域ｂは、セル中心領域である。
【００２２】
干渉レベル処理モジュール２０は、各セル内の全周波数リソースを、複数のリソースサブセットに分類する。干渉レベル処理モジュール２０は、各セクタ内の各セル端ユーザに、１つのリソースサブセットを割り当てる。干渉レベル処理モジュール２０は、セル内のセル中心ユーザに、残りのリソースサブセットを割り当てる。図３に示すように、セル中心ユーザは、セル端ユーザに割り当てられたリソースサブセットを、借リソース（ｂｏｒｒｏｗｅｄ  ｒｅｓｏｕｒｃｅ）として使用することができる（図４参照）。
【００２３】
干渉レベル処理モジュール２０は、さらに、セル間干渉に応じて、セル間干渉に対応する、セル内のリソースサブセットの干渉レベルを取得する。
【００２４】
図２に示すように、干渉レベル処理モジュール２０は、干渉レベル受信サブモジュール２１、干渉レベル生成サブモジュール２２及び干渉レベル比較サブモジュール２３を含む。
【００２５】
干渉レベル受信サブモジュール２１は、隣接セルからの干渉レベル情報を受信し、受信した干渉レベル情報に応じて、対応するリソースサブセットを検出する。干渉レベル受信サブモジュール２１は、検出したリソースサブセットの干渉レベルを取得し、取得した干渉レベルを干渉レベル比較サブモジュール２３に送信する。干渉レベルは、干渉レベル値ＮＩＬと、干渉レベル値ＳＩＬとを含む。干渉レベル値ＮＩＬは、隣接セルから本セルに対する干渉に対応する、リソースサブセットの干渉レベル値である。干渉レベル値ＳＩＬは、本セルから隣接セルに対する干渉に対応する、リソースサブセットの干渉レベル値である。
【００２６】
干渉レベル生成サブモジュール２２は、本セルから隣接セルに対する干渉に応じて、対応するリソースサブセットを検出し、リソースサブセットの干渉レベル値ＳＩＬを取得する。干渉レベル生成サブモジュール２２は、隣接セルから本セルに対する干渉に応じて、対応するリソースサブセットを検出し、リソースサブセットの干渉レベル値ＮＩＬを取得する。干渉レベル生成サブモジュール２２は、ＳＩＬ及びＮＩＬを、干渉レベル比較サブモジュール２３に送信する。
【００２７】
干渉レベル比較サブモジュール２３は、干渉レベル閾値ＳＩＬ＿ｔｈｄと、干渉レベル閾値ＮＩＬ＿ｔｈｄとを予め設定する。干渉レベル閾値ＳＩＬ＿ｔｈｄは、本セルから隣接セルに対する干渉に対応する、リソースサブセットの干渉レベル閾値である。干渉レベル閾値ＮＩＬ＿ｔｈｄは、隣接セルから本セルに対する干渉に対応する、リソースサブセットの干渉レベル閾値である。干渉レベル比較サブモジュール２３は、現在のＳＩＬ情報とＳＩＬ＿ｔｈｄとを比較し、現在のＮＩＬ情報とＮＩＬ＿ｔｈｄを比較し、比較結果を生成する。
【００２８】
干渉レベル処理モジュール２０は、リソース制御モジュール４０に、比較結果をフィードバックする。
【００２９】
干渉レベル処理モジュール２０は、更に、隣接セルのセル中心ユーザから本セルに対する干渉の変化動向を記録する。干渉レベル処理モジュール２０は、更に、隣接セルのセル端ユーザから本セルに対する干渉の変化動向を記録する。干渉レベル処理モジュール２０は、パワー制御モジュール５０に、記録結果をフィードバックする。
【００３０】
負荷算出モジュール３０は、セル負荷閾値を予め設定し、セル負荷値を算出し、セル負荷値とセル負荷閾値とを比較し、比較結果をパワー制御モジュール５０に送信する。
【００３１】
パワー制御モジュール５０は、隣接セルのセル中心ユーザから本セルに対する干渉の変化動向と、隣接セルのセル端ユーザから本セルに対する干渉の変化動向とに応じて、本セルのセル中心ユーザに対応するリソースサブセットと、セル端ユーザに対応するリソースサブセットとの間の、パワー上限値の差を調整する。セル負荷値がセル負荷閾値より大きい場合、パワー制御モジュール５０は、本セルのセル中心ユーザに対応するリソースサブセットと、セル端ユーザに対応するリソースサブセットとの間の、パワー上限値の差を調整する。セル負荷値がセル負荷閾値以下である場合、パワー制御モジュール５０は、上記パワー上限値の差を調整する必要はなく、本セル内の各ユーザに割り当てられたリソースサブセットのみを調整する。パワー制御モジュール５０は、本セルのセル中心ユーザに対応するリソースサブセットと、セル端ユーザに対応するリソースサブセットとの間のパワー上限値の差を、以下の８つの手法（１）〜（８）で調整する。
【００３２】
（１）隣接セルのセル中心ユーザから本セルに対する干渉の増加速度が、隣接セルのセル端ユーザから本セルに対する干渉の増加速度より速いとする。この場合、本セル内のセル中心ユーザに対応するリソースサブセットと、セル端ユーザに対応するリソースサブセットとの間のパワー上限値の差を、少しずつ増加させる。
【００３３】
（２）隣接セルのセル中心ユーザから本セルに対する干渉の増加速度が、隣接セルのセル端ユーザから本セルに対する干渉の増加速度より遅いとする。この場合、本セル内のセル中心ユーザに対応するリソースサブセットと、セル端ユーザに対応するリソースサブセットとの間のパワー上限値の差を、少しずつ減少させる。
【００３４】
（３）隣接セルのセル中心ユーザから本セルに対する干渉の増加速度が、隣接セルのセル端ユーザから本セルに対する干渉の増加速度と一致するとする。この場合、本セルのセル中心ユーザに対応するリソースサブセットと、セル端ユーザに対応するリソースサブセットとの間のパワー上限値の差を、変更しない。
【００３５】
（４）隣接セルのセル中心ユーザから本セルに対する干渉の減少速度が、隣接セルのセル端ユーザから本セルに対する干渉の減少速度より速いとする。この場合、本セルのセル中心ユーザに対応するリソースサブセットと、セル端ユーザに対応するリソースサブセットとの間のパワー上限値の差を、少しずつ減少させる。
【００３６】
（５）隣接セルのセル中心ユーザから本セルに対する干渉の減少速度が、隣接セルのセル端ユーザから本セルに対する干渉の減少速度より遅いとする。この場合、本セルのセル中心ユーザに対応するリソースサブセットと、セル端ユーザに対応するリソースサブセットとの間のパワー上限値の差を、少しずつ増加させる。
【００３７】
（６）隣接セルのセル中心ユーザから本セルに対する干渉の減少速度が、隣接セル内のセル端ユーザから本セルに対する干渉の減少速度と一致するとする。この場合、本セルのセル中心ユーザに対応するリソースサブセットと、セル端ユーザに対応するリソースサブセットとの間のパワー上限値の差を、変更しない。
【００３８】
（７）隣接セルのセル中心ユーザから本セルに対する干渉の速度が増加し、隣接セルのセル端ユーザから本セルに対する干渉の速度が減少するとする。この場合、本セルのセル中心ユーザに対応するリソースサブセットと、セル端ユーザに対応するリソースサブセットとの間のパワー上限値の差を、少しずつ増加させる。
【００３９】
（８）隣接セルのセル中心ユーザから本セルに対する干渉の速度が減少し、隣接セルのセル端ユーザから本セルに対する干渉の速度が増加するとする。この場合、本セルのセル中心ユーザに対応するリソースサブセットと、セル端ユーザに対応するリソースサブセットとの間のパワー上限値の差を、少しずつ減少させる。
【００４０】
リソース制御モジュール４０は、セル内のリソースサブセットの干渉レベルと、予め設定された干渉レベル閾値との比較結果に応じて、セル内のユーザに割り当てたリソースサブセットを調整する。リソース制御モジュール４０は、予め設定された干渉レベル閾値より小さい干渉レベルのリソースサブセットを、予め設定された干渉レベル閾値より大きい干渉レベルのリソースサブセットに対応するユーザに、割り当てる。
【００４１】
セル間干渉を低下させるため、本発明に係る方法は、セル内のユーザが使用するリソースサブセットを調整し、セルのリソースサブセット間のパワー上限値の差を調整する。図５に示すように、具体的には、この方法は以下のステップを含む。
【００４２】
ステップＳ１では、セル内のユーザタイプを分類する。
【００４３】
ここで、ユーザタイプは、セル端ユーザとセル中心ユーザとを含む。セル端ユーザが位置するエリアを、セル端領域ＯＣと称する。セル中心ユーザが位置するエリアを、セル中心領域ＩＣと称する。
【００４４】
ステップＳ２では、セル内の周波数リソースをＮ個のリソースサブセットに分類する。セル内のユーザに、対応するリソースサブセットを割り当てる。
【００４５】
ここで、セル内のセクタ数は、Ｍであり、Ｎ≧Ｍである。Ｎ個のリソースサブセットのフォーマットは、｛Ｓｕｂｓｅｔ１，Ｓｕｂｓｅｔ２，ＲＢＳｅｔ３，…，ＲＢＳｅｔＮ｝であり、複数のリソースサブセットは、互いに重複しない。リソースサブセット数Ｎは、柔軟に設定可能である。Ｎ個のサブバンドセットから、Ｍ個のリソースサブセットを、セル中のＭ個のセクタ中のセル端ユーザの、専用周波数リソースＦＲ＿ｅｄｇｅとして選択する。一方、残りのＮ−Ｍ個のリソースサブセットを、セル中の全てのセル中心ユーザの、専用周波数リソースＦＲ＿ｃｅｎｔｅｒとする。本セルに隣接する隣接セル中のセル端専用リソースは、本セルの借リソースＦＲ＿ｂｏｒｒｏｗとすることができる。セル端ユーザ（ＣＥＵ：Ｃｅｌｌ−Ｅｄｇｅ  Ｕｓｅｒ）は、セルのセル端専用リソースＦＲ＿ｅｄｇｅのみを使用できる。一方、セル中心ユーザ（ＣＣＵ：Ｃｅｌｌ−Ｃｅｎｔｅｒ  Ｕｓｅｒ）は、セル端ユーザＣＥＵが占有するリソース以外の全てのリソース（すなわち、セルのセル中心専用リソースＦＲ＿ｃｅｎｔｅｒ、セルのセル端専用リソースＦＲ＿ｅｄｇｅ、セルの借リソースＦＲ＿ｂｏｒｒｏｗを含む）を使用できる。各セルのセル中心専用リソースＦＲ＿ｃｅｎｔｅｒは、ゼロであってもよい。即ち、セル内のセル中心ユーザは、全て借リソースを使用しても良い。
【００４６】
ステップＳ３では、アップリンクチャネル品質情報と、ダウンリンクチャネル品質情報とを取得する。
【００４７】
ここで、端末は、ダウンリンクチャネル品質（ＤＣＱ：Ｄｏｗｎｌｉｎｋ  Ｃｈａｎｎｅｌ  Ｑｕａｌｉｔｙ）を測定し、当該ダウンリンクチャネル品質を報告する。基地局は、アップリンクチャネル品質（∪ＣＱ：Ｕｐｌｉｎｋ  Ｃｈａｎｎｅｌ  Ｑｕａｌｉｔｙ）を測定する。ここで、ダウンリンクチャネル品質は、搬送波レベル対干渉・雑音比（ＣＩＮＲ：Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）、信号対干渉・雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）、信号対干渉比（ＳＩＲ：Ｓｉｇｎａｌ  ｔｏ  Ｉｎｔｅｒｆｅｒｅｎｃｅ  Ｒａｔｉｏ）及び信号対雑音比（ＳＮＲ：Ｓｉｇｎａｌ  Ｎｏｉｓｅ  Ｒａｔｉｏ）等を含む。アップリンクチャネル品質は、ＳＩＮＲ、ＣＩＮＲ、ＳＩＲ及びＳＮＲを含む。
【００４８】
ステップＳ４では、セル負荷閾値ＬＳＩ＿ｔｈｄを予め設定する。セル負荷値ＬＳＩ＿ｎｅｗを算出する。ＬＳＩ＿ｎｅｗがＬＳＩ＿ｔｈｄより大きいかを判断する。
【００４９】
ＬＳＩ＿ｎｅｗ＞ＬＳＩ＿ｔｈｄの場合、セル負荷値ＬＳＩ＿ｎｅｗが高いことを示す。この場合、セル内のユーザに割り当てられたリソースサブセットを調整する必要がある。また、このリソースサブセットを使用するセル内のユーザ間のパワー上限値の差を調整する必要がある。即ち、ステップＳ５１に進み、セル内のユーザに割り当てられたリソースサブセットを調整する。同時に、ステップＳ５２に進み、このリソースサブセットを使用するセル内のセル中心ユーザとセル端ユーザとの間のパワー上限値の差を調整する。
【００５０】
ＬＳＩ＿ｎｅｗ≦ＬＳＩ＿ｔｈｄの場合、セル負荷値ＬＳＩ＿ｎｅｗが低いことを示す。この場合、セル内のユーザに割り当てられたリソースサブセットのみを調整すればよい。即ち、直接ステップＳ５１に進み、セル内のユーザに割り当てられたリソースサブセットを調整すればよい。
【００５１】
ステップＳ５１では、セル内のユーザに割り当てられたリソースサブセットを調整する。図６に示すように、当該ステップは、以下のステップを更に含む。
【００５２】
ステップＳ５１１では、リソースサブセットの干渉レベル閾値ＮＩＬ＿ｔｈｄ、ＳＩＬ＿ｔｈｄを予め設定する。
【００５３】
ここで、ＮＩＬ＿ｔｈｄは、隣接セルから本セルに対する干渉に対応するリソースサブセットの干渉レベル閾値を示す。ＳＩＬ＿ｔｈｄは、本セルから隣接セルに対する干渉に対応するリソースサブセットの干渉レベル閾値を示す。
【００５４】
ステップＳ５１２では、隣接セルから本セルに対する干渉を検出する。検出した干渉に応じて、対応するリソースサブセットの干渉レベルＮＩＬ＿ｎｅｗを取得する。
【００５５】
ステップＳ５１３では、本セルから隣接セルに対する干渉の情報を受信する。受信した干渉情報に応じて、対応するリソースサブセットの干渉レベルＳＩＬ＿ｎｅｗを取得する。
【００５６】
ステップＳ５１４では、ＮＩＬ＿ｎｅｗとＮＩＬ＿ｔｈｄとを比較する。ＳＩＬ＿ｎｅｗとＳＩＬ＿ｔｈｄとを比較する。比較結果に応じて、セル内のユーザに割り当てたリソースサブセットを調整する。
【００５７】
ＮＩＬ＿ｎｅｗ＞ＮＩＬ＿ｔｈｄの場合、隣接セルから本セルに対する干渉に対応するリソースサブセットの干渉レベルが高いことを示す。
【００５８】
ＮＩＬ＿ｎｅｗ≦ＮＩＬ＿ｔｈｄの場合、隣接セルから本セルに対する干渉に対応するリソースサブセットの干渉レベルが低いことを示す。
【００５９】
ＳＩＬ＿ｎｅｗ＞ＳＩＬ＿ｔｈｄの場合、本セルから隣接セルに対する干渉に対応するリソースサブセットの干渉レベルが高いことを示す。
【００６０】
ＳＩＬ＿ｎｅｗ≦ＳＩＬ＿ｔｈｄの場合、本セルから隣接セルに対する干渉に対応するリソースサブセットの干渉レベルが低いことを示す。
【００６１】
サービスを開始するとき、セル中心ユーザに対応するリソースサブセットの干渉レベルが低い場合、セル中心ユーザは、セル中心ユーザ自身に割り当てられたリソースサブセットを呼び出す。あるいは、セル中心ユーザ自身に割り当てられたリソースサブセットの干渉レベルが高い場合、セル中心ユーザは、セル内のセル端ユーザ専用リソースサブセットを呼び出す。あるいは、セル内のセル端専用リソースサブセットの干渉レベルが高い場合、セル中心ユーザは、隣接セルのセル端専用リソースサブセットである、借リソースサブセットを呼び出す。
【００６２】
セル端ユーザに対応するリソースサブセットの干渉レベルが、予め設定された干渉レベル閾値より大きい場合、セル内におけるセル中心ユーザと、セル端ユーザとの割合を再調整する。あるいは、セル中心ユーザとセル端ユーザとに、リソースサブセットを再度割り当てる。すなわち、干渉レベルが予め設定された干渉レベル閾値より小さいリソースサブセットを、セル端ユーザに割り当てる。干渉レベルが予め設定された干渉レベル閾値より大きいリソースサブセットを、セル中心ユーザに割り当てる。これによって、セル中心ユーザは、干渉レベルが予め設定された干渉レベル閾値より小さい他のサブセットを呼び出すことができる。一方、セル端ユーザは、セル端ユーザ自身のセル端専用リソースサブセットを呼び出すことしかできない。
【００６３】
ステップＳ５２では、セル内のセル中心ユーザに対応するリソースサブセットと、セル端ユーザに対応するリソースサブセットとの間のパワー上限値の差を調整する。図７に示すように、当該ステップは、以下のステップを更に含む。
【００６４】
ステップＳ５２１では、ユーザタイプに応じてユーザに割り当てられたリソースサブセットに対して、パワー割り当てを行う。すなわち、セル中心ユーザに割り当てられたリソースサブセットに、相対的に低いパワー上限値の送信パワーを割り当てる。セル端ユーザに割り当てられたリソースサブセットに、相対的に高いパワー上限値の送信パワーを割り当てる。
【００６５】
ステップＳ５２２では、セル内のセル中心ユーザとセル端ユーザに割り当てられたリソースサブセットのパワー上限値を測定する。
【００６６】
ステップＳ５２３では、ダウンリンクの伝送品質情報（ＴＱＩ：Ｔｒａｎｓｍｉｓｓｉｏｎ  Ｑｕａｌｉｔｙ  Ｉｎｆｏｒｍａｔｉｏｎ）を取得する。ダウンリンクチャネル品質（ＤＣＱ）に応じて、ダウンリンク変調・符号化方式（ＭＣＳ：Ｍｏｄｕｌａｔｉｏｎ  ａｎｄ  Ｃｏｄｉｎｇ  Ｓｃｈｅｍｅ）をマッピングして生成する。セル内のセル端ユーザとセル中心ユーザとのＴＱＩ又はＭＣＳ変化動向を記録する。これに応じて、セル内のセル中心ユーザに対応するリソースサブセットと、セル端ユーザに対応するリソースサブセットとの間のパワー上限値の差を調整する。
【００６７】
ここで、ダウンリンク伝送品質情報は、ブロック誤り率（ＢＬＥＲ：Ｂｌｏｃｋ  Ｅｒｒｏｒ  Ｒａｔｉｏ）、パケット誤り率（ＰＥＲ：Ｐａｃｋｅｔ  Ｅｒｒｏｒ  Ｒａｔｉｏ）、ビット誤り率（ＢＥＲ：Ｂｉｔ  Ｅｒｒｏｒ  Ｒａｔｉｏ）等の情報を含む。
【００６８】
外部調整された結果、セル端ユーザのＴＱＩが下降し続けるか、セル端ユーザのＭＣＳが上昇し続けるとする。この場合、隣接セルのセル中心ユーザから本セルに対する干渉のレベルが減少したことを示す。
【００６９】
外部調整された結果、セル端ユーザのＴＱＩが上昇し続けるか、セル端ユーザのＭＣＳが下降し続けるとする。この場合、隣接セルのセル中心ユーザから本セルに対する干渉のレベルが増加したことを示す。
【００７０】
外部調整された結果、セル中心ユーザのＴＱＩが下降し続けるか、セル中心ユーザのＭＣＳが上昇し続けるとする。この場合、隣接セルのセル端ユーザから本セルに対する干渉のレベルが減少したことを示す。
【００７１】
外部調整された結果、セル中心ユーザのＴＱＩが上昇し続けるか、セル中心ユーザのＭＣＳが下降し続けるとする。この場合、隣接セルのセル端ユーザから本セルに対する干渉のレベルが増加したことを示す。
【００７２】
上記のように、セル内のセル端ユーザとセル中心ユーザとのＴＱＩ又はＭＣＳの変化に応じて、セル内の周波数リソースを使用するユーザ間のパワー上限値の差を調整する。この調整ステップは、具体的には、以下のステップ（１）〜（８）を含む。
【００７３】
（１）隣接セルのセル中心ユーザから本セルに対する干渉の増加速度が、隣接セルのセル端ユーザから本セルに対する干渉の増加速度より速いとする。この場合、本セル内のセル中心ユーザに対応するリソースサブセットと、セル端ユーザに対応するリソースサブセットとの間のパワー上限値の差を、少しずつ増加させる。
【００７４】
（２）隣接セルのセル中心ユーザから本セルに対する干渉の増加速度が、隣接セルのセル端ユーザから本セルに対する干渉の増加速度より遅いとする。この場合、本セル内のセル中心ユーザに対応するリソースサブセットと、セル端ユーザに対応するリソースサブセットとの間のパワー上限値の差を、少しずつ減少させる。
【００７５】
（３）隣接セルのセル中心ユーザから本セルに対する干渉の増加速度が、隣接セルのセル端ユーザから本セルに対する干渉の増加速度と一致するとする。この場合、本セルのセル中心ユーザに対応するリソースサブセットと、セル端ユーザに対応するリソースサブセットとの間のパワー上限値の差を、変更しない。
【００７６】
（４）隣接セルのセル中心ユーザから本セルに対する干渉の減少速度が、隣接セルのセル端ユーザから本セルに対する干渉の減少速度より速いとする。この場合、本セルのセル中心ユーザに対応するリソースサブセットと、セル端ユーザに対応するリソースサブセットとの間のパワー上限値の差を、少しずつ減少させる。
【００７７】
（５）隣接セルのセル中心ユーザから本セルに対する干渉の減少速度が、隣接セルのセル端ユーザから本セルに対する干渉の減少速度より遅いとする。この場合、本セルのセル中心ユーザに対応するリソースサブセットと、セル端ユーザに対応するリソースサブセットとの間のパワー上限値の差を、少しずつ増加させる。
【００７８】
（６）隣接セルのセル中心ユーザから本セルに対する干渉の減少速度が、隣接セル内のセル端ユーザから本セルに対する干渉の減少速度と一致するとする。この場合、本セルのセル中心ユーザに対応するリソースサブセットと、セル端ユーザに対応するリソースサブセットとの間のパワー上限値の差を、変更しない。
【００７９】
（７）隣接セルのセル中心ユーザから本セルに対する干渉の速度が増加し、隣接セルのセル端ユーザから本セルに対する干渉の速度が減少するとする。この場合、本セルのセル中心ユーザに対応するリソースサブセットと、セル端ユーザに対応するリソースサブセットとの間のパワー上限値の差を、少しずつ増加させる。
【００８０】
（８）隣接セルのセル中心ユーザから本セルに対する干渉の速度が減少し、隣接セルのセル端ユーザから本セルに対する干渉の速度が増加するとする。この場合、本セルのセル中心ユーザに対応するリソースサブセットと、セル端ユーザに対応するリソースサブセットとの間のパワー上限値の差を、少しずつ減少させる。
【００８１】
ここで、セル内におけるセル中心ユーザに対応するリソースサブセットと、セル端ユーザに対応するリソースサブセットとの間のパワー上限値の差は、相対的に遅い速度で調整される。
【００８２】
セル間干渉レベルをさらに制御するため、本発明に係るセル間干渉制御方法によれば、セル内のリソースサブセットを使用するユーザ間のパワー上限値の差を調整しつつ、セルのアップリンクパワーを制御する。図８に示すように、アップリンクパワーの制御は、以下のステップを含む。
【００８３】
ステップＪ１では、セル内のユーザに対応するリソースサブセットの送信パワー閾値を設定する。ユーザの送信パワーが送信パワー閾値より小さくなるように制御する。
【００８４】
ここで、セル内のセル端ユーザの送信パワー上限値は、セル内のセル中心ユーザの送信パワー上限値より小さい。
【００８５】
ステップＪ２では、セル間干渉レベルに応じて、セル内のリソースサブセットの干渉レベルを取得する。リソースサブセットの干渉レベルに応じて、セル中心ユーザとセル端ユーザとに対応するリソースサブセットの送信パワー閾値を調整する。
【００８６】
ステップＪ３では、ユーザに割り当てられたパワーに対して権限を付与する。
【００８７】
ここで、複数のリソースサブセットの送信パワーの合計は、ユーザが送信可能な総パワーの上限値以下である。
【００８８】
本発明の実施形態によれば、ＬＴＥシステムにおいてダウンリンク準静的（ｓｅｍｉ−ｓｔａｔｉｃ）干渉を調整する方法は、以下の４つのプロセスを含む。第１に、セル内の複数のユーザを分類する。第２に、セルの周波数リソースを分類する。第３に、セル間干渉レベルに基づき、ユーザに割り当てられたリソースサブセットを調整する。第４に、セル間干渉レベルに基づき、リソースサブセット間のパワー上限値の差を調整する。図９に示すように、この方法は、具体的には以下のステップを含む。
【００８９】
ステップＫ１では、ユーザがネットワークにアクセスし、初期パラメータを構成する。
【００９０】
ステップＫ２では、ユーザＵＥから報告されたサービスセル（ｓｅｒｖｉｎｇ  ｃｅｌｌ）の基準信号受信パワー（ＲＳＲＰ：Ｒｅｆｅｒｅｎｃｅ  Ｓｉｇｎａｌ  Ｒｅｃｅｉｖｅｄ  Ｐｏｗｅｒ）と、ユーザＵＥから報告された隣接セル（ｎｅｉｇｈｂｏｒｉｎｇ  ｃｅｌｌ）のＲＳＲＰとに応じて、ユーザＵＥタイプを分類する。
【００９１】
ユーザＵＥのタイプは、セル中心ユーザＣＣＵと、セル端ユーザＣＥＵとを含む。ＲＳＲＰに応じてユーザＵＥタイプを分類する方法は、以下の２種類がある。
【００９２】
第１のユーザＵＥタイプ分類方法によれば、RSRPserving-RSRPneighbor<Threshold1が成立する場合、当該ユーザＵＥは、セル端ユーザＣＥＵである。成立しない場合、当該ユーザＵＥは、セル中心ユーザＣＣＵである。
【００９３】
第２のユーザＵＥタイプ分類方法によれば、数１が成立する場合、当該ユーザＵＥは、セル端ユーザＣＥＵである。成立しない場合、当該ユーザＵＥは、セル中心ユーザＣＣＵである。
【００９４】
【数１】
0005541755.tif 000002
【００９５】
ここで、ユーザＵＥタイプの分類は、ユーザＵＥからサービスセルまでの伝送路とユーザＵＥから隣接セルまでの伝搬路との間の損失の差と、ユーザＵＥのチャネル品質情報とに応じて行われてもよい。
【００９６】
ステップＫ３では、セル中心ユーザ及びセル端ユーザに、周波数リソースを割り当てる。
【００９７】
本ステップでは、図４に示す方式で、セル中心ユーザ及びセル端ユーザに対して周波数リソースが割り当てられる。図４に示すように、例えば、３つのセクタが存在する。周波数リソースを、４つのリソースサブセットに分類する。そのうち、３つのリソースサブセットは、それぞれ、３つのセクタのセル端ユーザの専用リソースサブセットとして割り当てられる。残りの１つのリソースサブセットは、セル内のセル中心ユーザの専用リソースサブセットとして割り当てられる。セル内のセル中心ユーザは、セル内のセル端ユーザに占有されていない、セル端ユーザ専用リソースサブセットを、借りることができる。さらに、セル内のセル中心ユーザは、隣接セルの、全てのセル端ユーザ専用リソースサブセットを、借りることができる。即ち、セル端ユーザ専用リソースサブセットを、借リソースサブセットとして、セル中心ユーザに提供可能である。
【００９８】
ステップＫ４では、隣接セルのリストをメンテナンスする。Ｎ個の隣接セルから、Ｘ２インターフェースを介して、ダウンリンク相対ナローバンド伝送パワー（ＲＮＴＰ：Ｒｅｌａｔｉｖｅ  Ｎａｒｒｏｗ  Ｔｒａｎｓｍｉｓｓｉｏｎ  Ｐｏｗｅｒ）情報を受信する。隣接セルのダウンリンクＲＮＴＰ情報に応じて、隣接セルから本セルのリソースサブセットに対する干渉レベルを取得する。
【００９９】
隣接セルのダウンリンク相対ナローバンド伝送パワー（ＲＮＴＰ：Ｒｅｌａｔｉｖｅ  Ｎａｒｒｏｗ  Ｔｒａｎｓｍｉｓｓｉｏｎ  Ｐｏｗｅｒ）のフォーマットは、｛ＲＮＴＰ１，ＲＮＴＰ２，ＲＮＴＰ３，…，ＲＮＴＰｎ３｝である。
【０１００】
ステップＫ５では、セルの現在のダウンリンクスケジューリング及びパワー割り当て情報を集計する。集計されたセルのダウンリンクスケジューリング及びパワー割り当て情報に応じて、ダウンリンクＲＮＴＰ情報を生成する。生成したダウンリンクＲＮＴＰ情報を、隣接セルに送信する。
【０１０１】
ステップＫ６では、各リソースサブセットリソースブロック（Ｒｅｓｏｕｒｃｅ  Ｂｌｏｃｋ：ＲＢ）のＲＮＴＰ情報を集計する。隣接セルから受信したＲＮＴＰ情報を処理する。これにより、本セルが使用可能なＲＮＴＰを抽出する。本セルのリソースサブセットＲＢの干渉レベルを取得する。
【０１０２】
ステップＫ７では、セル負荷閾値を予め設定する。セル負荷値を算出する。セル負荷値とセル負荷閾値とを比較し、セル負荷値がセル負荷閾値より大きいかどうかを判断する。セル負荷値がセル負荷閾値より大きい場合、ステップＫ８１とステップＫ８２とに同時に進む。それ以外の場合、ステップＫ８２に直接進む。
【０１０３】
ステップＫ８１では、ユーザＵＥからフィードバックされた肯定確認情報（ＡＣＫ）／否定確認情報（ＮＡＣＫ）に応じて、ダウンリンクのＢＬＥＲ情報を取得する。ユーザＵＥから報告されたＤＣＱ情報に応じて、ダウンリンクＭＣＳをマッピングする。セル内のセル端ユーザ及びセル中心ユーザのＭＣＳ変化動向を集計する。当該ＭＣＳの変化動向に応じて、セル内のセル中心ユーザに対応するリソースサブセットと、セル端ユーザに対応するリソースサブセットとの間のパワー上限値の差を調整する。そして、ステップＫ９に進む。
【０１０４】
ここで、ＢＬＥＲは、ＢＬＥＲ≦１０％に維持する必要がある。セル内のセル端ユーザのＭＣＳが上昇し続ける場合、隣接セル内のセル中心ユーザから本セルに対する干渉レベルが減少していることを示す。
【０１０５】
本ステップＫ８１は、以下のステップを更に含む。
【０１０６】
セル内のセル端ユーザのＭＣＳが下降し続ける場合、隣接セル内のセル中心ユーザから本セルに対する干渉レベルが増加していることを示す。
【０１０７】
セル内のセル中心ユーザのＭＣＳが上昇し続ける場合、隣接セル内のセル端ユーザから本セルに対する干渉レベルが減少していることを示す。
【０１０８】
セル内のセル中心ユーザのＭＣＳが下降し続ける場合、隣接セル内のセル端ユーザから本セルに対する干渉レベルが増加していることを示す。
【０１０９】
隣接セルのセル中心ユーザから本セルに対する干渉の増加速度が、隣接セルのセル端ユーザから本セルに対する干渉の増加速度より速いとする。この場合、本セル内のセル中心ユーザに対応するリソースサブセットと、セル端ユーザに対応するリソースサブセットとの間のパワー上限値の差を、少しずつ増加させる。
【０１１０】
隣接セルのセル中心ユーザから本セルに対する干渉の増加速度が、隣接セルのセル端ユーザから本セルに対する干渉の増加速度より遅いとする。この場合、本セル内のセル中心ユーザに対応するリソースサブセットと、セル端ユーザに対応するリソースサブセットとの間のパワー上限値の差を、少しずつ減少させる。
【０１１１】
隣接セルのセル中心ユーザから本セルに対する干渉の増加速度が、隣接セルのセル端ユーザから本セルに対する干渉の増加速度と一致するとする。この場合、本セルのセル中心ユーザに対応するリソースサブセットと、セル端ユーザに対応するリソースサブセットとの間のパワー上限値の差を、変更しない。
【０１１２】
隣接セルのセル中心ユーザから本セルに対する干渉の減少速度が、隣接セルのセル端ユーザから本セルに対する干渉の減少速度より速いとする。この場合、本セルのセル中心ユーザに対応するリソースサブセットと、セル端ユーザに対応するリソースサブセットとの間のパワー上限値の差を、少しずつ減少させる。
【０１１３】
隣接セルのセル中心ユーザから本セルに対する干渉の減少速度が、隣接セルのセル端ユーザから本セルに対する干渉の減少速度より遅いとする。この場合、本セルのセル中心ユーザに対応するリソースサブセットと、セル端ユーザに対応するリソースサブセットとの間のパワー上限値の差を、少しずつ増加させる。
【０１１４】
隣接セルのセル中心ユーザから本セルに対する干渉の減少速度が、隣接セル内のセル端ユーザから本セルに対する干渉の減少速度と一致するとする。この場合、本セルのセル中心ユーザに対応するリソースサブセットと、セル端ユーザに対応するリソースサブセットとの間のパワー上限値の差を、変更しない。
【０１１５】
ここで、セル内におけるセル中心ユーザに対応するリソースサブセットと、セル端ユーザに対応するリソースサブセットとの間のパワー上限値の差は、相対的に遅い速度で調整される。
【０１１６】
ステップＫ８２では、セル内の各リソースサブセットＲＢ上の干渉レベルと、セル内のセル端ユーザとセル中心ユーザとの実際の割合と、セル端領域が利用可能なリソースサブセット及びセル中心領域が利用可能なリソースサブセットとに応じて、セル内のセル中心ユーザとセル端ユーザとの割合を調整する。
【０１１７】
即ち、高い干渉レベルのリソースサブセットを、セル内のセル中心ユーザに割り当てる。低い干渉レベルのリソースサブセットを、セル内のセル端ユーザに割り当てる。
【０１１８】
あるいは、上記情報に応じて、セル内のセル中心ユーザに用いられるリソースサブセットと、セル端ユーザに用いられるリソースサブセットの割合を調整する。干渉レベルが予め設定された干渉レベル閾値より大きいリソースサブセットを、セル中心ユーザ専用リソースサブセットとして設定する。干渉レベルが予め設定された干渉レベル閾値より小さいリソースサブセットを、セル端ユーザの専用リソースとして設定する。その後、ステップＫ９に進む。
【０１１９】
ここで、基地局によるセルのリソースサブセットの調整速度は、セルのパワー調整速度より速い。
【０１２０】
ステップＫ９では、本セルが使用可能な、隣接セルからのＲＮＴＰ情報に応じて、本セル内のユーザのスケジューリングと、時間周波数リソース割り当てとを行う。
【０１２１】
ここで、セル端ユーザＣＥＵは、セル端領域ＯＣのリソースサブセットを優先的に呼び出す。一方、セル中心ユーザＣＣＵは、セル中心領域ＩＣのリソースサブセットを優先的に使用する。セル中心領域ＩＣに、対応するリソースサブセットが無い場合、セル中心ユーザは、セル内のセル端ユーザのリソースサブセットを呼び出す。セル内のセル端ユーザが利用可能なリソースサブセットが無い場合、セル負荷許容範囲内で、借リソースサブセットを呼び出す。即ち、セル端ユーザＣＥＵは、ＯＣＲＢ中のリソースサブセットを優先的に呼び出し、その後、数２中のリソースサブセットを呼び出す。セル中心ユーザＣＣＵは、ＩＣＲＢ中のリソースサブセットを優先的に呼び出し、その後、ＯＣＲＢ中のリソースサブセットを呼び出し、最後に、ＢＣＲＢ中のリソースサブセットを呼び出す。
【０１２２】
【数２】
0005541755.tif 000003
【０１２３】
ＯＣＲＢは、セル端ユーザの周波数リソースサブセットＲＢの集合を示す。
【０１２４】
ＢＣＲＢは、セル中心ユーザが借りることができる周波数リソースサブセットＲＢの集合を示す。
【０１２５】
ＩＣＲＢは、セル中心ユーザの周波数リソースサブセットＲＢの集合を示す。
【０１２６】
数３は、ソースセル（ｃｅｌｌＩｄ）がセルに送信した、ＲＮＴＰにおける対応するＢＩＴが「１」であるＲＢリソースブロックの集合を示す。
【０１２７】
【数３】
0005541755.tif 000004
【０１２８】
{cellIDu}は、ＵＥｕの隣接セルのｃｅｌｌＩｄの集合である。
【０１２９】
【数４】
0005541755.tif 000005
【０１３０】
セル端ユーザＣＥＵストラテジーを、数５に示す。総数≦数５中の要素の数である。
【０１３１】
【数５】
0005541755.tif 000006
【０１３２】
セル中心ユーザＣＣＵストラテジーは、ICRB→OCRB→BCRBである。
【０１３３】
セル端ユーザＣＥＵストラテジーを、数６に示す。
【０１３４】
【数６】
0005541755.tif 000007
【０１３５】
本発明の実施形態によれば、ＬＴＥシステムにおいてダウンリンク準静的（ｓｅｍｉ−ｓｔａｔｉｃ）干渉を調整する方法は、以下の４つのプロセスを含む。第１に、セル内の複数のユーザを分類する。第２に、セルの周波数リソースを分類する。第３に、セル間干渉レベルに基づき、ユーザに割り当てられたリソースサブセットを調整する。第４に、セル間干渉レベルに基づき、リソースサブセット間のパワー上限値の差を調整する。図１０に示すように、この方法は、具体的には以下のステップを含む。
【０１３６】
ステップＬ１では、ユーザがネットワークにアクセスし、初期パラメータを構成する。
【０１３７】
ステップＬ２では、ユーザＵＥから報告されたサービスセルのＲＳＲＰと、隣接セルのＲＳＲＰとに応じて、ユーザＵＥタイプを分類する。
【０１３８】
ここで、前記ユーザＵＥタイプは、セル中心ユーザとセル端ユーザを含む。
【０１３９】
ＲＳＲＰに応じてユーザＵＥタイプを分類する方法は、以下の２種類がある。
【０１４０】
ａ：RSRPserving-RSRPneighbor<Threshold1が成立する場合、当該ユーザＵＥは、セル端ユーザＣＥＵである。成立しない場合、当該ユーザＵＥは、セル中心ユーザＣＣＵである。
【０１４１】
ｂ：数７が成立する場合、当該ユーザＵＥは、セル端ユーザＣＥＵである。成立しない場合、当該ユーザＵＥは、セル中心ユーザＣＣＵである。
【０１４２】
【数７】
0005541755.tif 000008
【０１４３】
また、基地局は、ユーザＵＥからサービスセルまでの伝送路とユーザＵＥから隣接セルまでの伝搬路との間の損失の差と、ユーザＵＥのチャネル品質情報とに応じて、ユーザＵＥのタイプを分類することも可能である。
【０１４４】
ステップＬ３では、セル中心ユーザ及びセル端ユーザに、リソースサブセットを割り当てる。
【０１４５】
本ステップでは、図４に示す方式で、セル中心ユーザ及びセル端ユーザに対して周波数リソースが割り当てられる。図４に示すように、例えば、３つのセクタが存在する。周波数リソースを、４つのリソースサブセットに分類する。そのうち、３つのリソースサブセットは、それぞれ、３つのセクタのセル端ユーザの専用リソースサブセットとして割り当てられる。残りの１つのリソースサブセットは、セル内のセル中心ユーザの専用リソースサブセットとして割り当てられる。セル内のセル中心ユーザは、セル内のセル端ユーザに占有されていない、セル端ユーザ専用リソースサブセットを、借りることができる。さらに、セル内のセル中心ユーザは、隣接セルの、全てのセル端ユーザ専用リソースサブセットを、借りることができる。即ち、セル端ユーザ専用リソースサブセットを、借リソースサブセットとして、セル中心ユーザに提供可能である。
【０１４６】
ステップＬ４では、隣接セルのリストＣｅｌｌＬｉｓｔをメンテナンスする。ｎ個の隣接セルから、Ｘ２インターフェースを介して、アップリンク高干渉インジケータ（ＨＩＩ：Ｈｉｇｈ  Ｉｎｔｅｒｆｅｒｅｎｃｅ  Ｉｎｄｉｃａｔｏｒ）情報と、アップリンク干渉オーバーロードインジケータ（ＯＩ：Ｉｎｔｅｒｆｅｒｅｎｃｅ  Ｏｖｅｒｌｏａｄ  Ｉｎｄｉｃａｔｏｒ）情報とを受信する。各隣接セルのアップリンクＨＩＩ情報及びアップリンクＯＩ情報に応じて、隣接セルから本セルのリソースサブセットに対する干渉レベルを取得する。
【０１４７】
高干渉インジケータ（ＨＩＩ：Ｈｉｇｈ  Ｉｎｔｅｒｆｅｒｅｎｃｅ  Ｉｎｄｉｃａｔｏｒ）情報のフォーマットは、｛ＨＩＩ１，ＨＩＩ２，ＨＩＩ３，…，ＨＩＩｎ１｝である。干渉オーバーロードインジケータ（ＯＩ：Ｉｎｔｅｒｆｅｒｅｎｃｅ  Ｏｖｅｒｌｏａｄ  Ｉｎｄｉｃａｔｏｒ）情報のフォーマットは、｛ＯＩ１，ＯＩ２，ＯＩ３，…，ＯＩｎ２｝である。
【０１４８】
ステップＬ５では、隣接セルからのアップリンク干渉レベルを処理する。ＯＩ情報を生成する。生成したＯＩ情報を、Ｘ２インターフェースを介して、隣接セルに送信する。
【０１４９】
基地局は、セルのアップリンク負荷、ダウンリンク負荷、リソースサブセット使用状況及びパワー情報に応じて、アップリンクＨＩＩ情報を生成する。生成したアップリンクＨＩＩ情報を、Ｘ２インターフェースを介して、隣接セルに送信する。
【０１５０】
ステップＬ６では、セルの各リソースサブセットＲＢのＯＩ及びＨＩＩ情報を集計する。隣接セルから送信された、全てのＯＩ及びＨＩＩ情報を処理する。セルにより生成されたＨＩＩ情報を処理する。セルが使用可能なＯＩ及びＨＩＩ情報を取得する。
【０１５１】
ここで、ＯＩ情報は、各リソースサブセットＲＢにおける、本セルの隣接セルに対する干渉レベル又は特定の隣接セル間の干渉レベルを反映する。ＨＩＩ情報は、各リソースサブセットＲＢにおける、隣接セルの本セルに対する干渉レベル又は特定の隣接セル間の干渉レベルを反映する。
【０１５２】
ステップＬ７では、セルの負荷閾値を予め設定する。セル負荷値を算出する。セル負荷値とセル負荷閾値とを比較し、セル負荷値がセル負荷閾値より大きいかどうかを判断する。セル負荷値がセル負荷閾値より大きい場合、ステップＬ８１とステップＬ８２に同時に進む。それ以外の場合、ステップＬ８１に直接進む。
【０１５３】
ステップＬ８１では、各リソースサブセットＲＢの干渉レベルと、セル端ユーザとセル中心ユーザとの実際の割合と、セル端ユーザが利用可能なリソースサブセット及びセル中心ユーザが利用可能なリソースサブセット等の情報に応じて、セル内のセル中心ユーザとセル端ユーザとの割合を調整する。
【０１５４】
具体的な調整ステップは、干渉レベルが予め設定された干渉レベル閾値より大きいリソースサブセットを、セル内のセル中心ユーザに割り当てる。干渉レベルが予め設定された干渉レベル閾値より小さいリソースサブセットを、セル内のセル端ユーザに割り当てる。
【０１５５】
本ステップは、上記情報に応じてセルでのセル中心ユーザに用いられるリソースサブセットとセル端ユーザに用いられるリソースサブセットの割合を調整する。干渉レベルが予め設定された干渉レベル閾値より大きいリソースサブセットを、セル内のセル中心ユーザに割り当てる。干渉レベルが予め設定された干渉レベル閾値より小さいリソースサブセットを、セル内のセル端ユーザに割り当てる。その後、ステップＬ９に進む。
【０１５６】
セル内のセル中心ユーザとセル端ユーザとの数値的割合又はリソース割合の調整は、相対的に中くらいの速度で行われる。
【０１５７】
ステップＬ８２では、有効なＯＩ情報に対応するセル内のセル中心ユーザとセル端ユーザとに対応するリソースサブセットのアップリンク送信パワーに対して動的制御を行う。
【０１５８】
アップリンク送信パワーに対する動的制御は、本セルから隣接セルに対する干渉レベルを一定の範囲内に制御し、以下のステップを含む。ＯＩで示される干渉レベルが予め設定された干渉レベル閾値より大きいリソースサブセットＲＢの送信パワーを減少させる。ＯＩで示される干渉レベルが予め設定された干渉レベル閾値より小さいリソースサブセットＲＢの送信パワーを少しずつ増加させる。その後、ステップＬ９に進む。
【０１５９】
本発明に係るセル間干渉制御方法によれば、送信パワーを調整するとともに、ＭＣＳに対して対応する調整を行う必要がある。これにより、パワーの変化を一致させる。これにより、無線リンクに対する自己適応性（ｓｅｌｆ−ａｄａｐｔａｔｉｏｎ）を達成する。
【０１６０】
ステップＬ９では、有効なＨＩＩ情報に応じて、ユーザのスケジューリングを行い、ユーザに対して時間周波数リソース割り当てを行う。
【０１６１】
ＣＥＵセル端ユーザは、ＯＣＲＢ中のリソースサブセットを優先的に呼び出し、その後、数８中のリソースサブセットを呼び出す。セル中心ユーザＣＣＵは、ＩＣＲＢ中のリソースサブセットを優先的に呼び出し、その後、ＯＣＲＢ中のリソースサブセットを呼び出し、最後に、ＢＣＲＢ中のリソースサブセットを呼び出す。
【０１６２】
【数８】
0005541755.tif 000009
【０１６３】
ここで、ＯＣＲＢは、セル端ユーザのリソースサブセットＲＢの集合を示す。
【０１６４】
ＢＣＲＢは、セル中心ユーザが借りることができるリソースサブセットＲＢの集合を示す。
【０１６５】
ＩＣＲＢは、セル中心ユーザの専用リソースサブセットＲＢの集合を示す。
【０１６６】
数９は、ソースセル（ｃｅｌｌＩｄ）がセルに送信した、ＨＩＩにおける対応するＢＩＴが「１」であるＲＢリソースブロックの集合を示す。
【０１６７】
【数９】
0005541755.tif 000010
【０１６８】
{cellIDu}は、ＵＥｕの隣接セルｃｅｌｌＩｄの集合である。
【０１６９】
【数１０】
0005541755.tif 000011
【０１７０】
セル端ユーザＣＥＵストラテジーを、数１１に示す。総数≦数１１中の要素の数である。
【０１７１】
【数１１】
0005541755.tif 000012
【０１７２】
セル中心ユーザＣＣＵストラテジーを、数１２に示す。
【０１７３】
【数１２】
0005541755.tif 000013
【０１７４】
セル端ユーザＣＥＵストラテジーを、数１３に示す。
【０１７５】
【数１３】
0005541755.tif 000014
【０１７６】
本発明に係るセル間干渉制御方法によれば、セル間干渉レベルに応じて、セルで干渉が存在するリソースサブセットと、リソースサブセットの干渉程度を検出する。検出結果に応じて、セル内のユーザに割り当てられたリソースサブセットを調整する。セルの負荷が負荷閾値を超えた場合、隣接セル内のセル中心ユーザから本セルに対する干渉の変化動向と、隣接セル内のセル端ユーザから本セルに対する干渉の変化動向とに応じて、本セル内のセル中心ユーザに対応するリソースサブセットと、セル端ユーザに対応するリソースサブセットとの間の、パワー上限値の差を調整する。これにより、セル間干渉レベルを効率的に低減させ、セル間干渉レベルを理想的な均衡状態に調整することができる。また、システムの全体容量とカバー性能を向上させることができる。また、ＯＦＤＭシステムのサービス性能を向上させることができる。
【０１７７】
上記のものは本発明の好適な実施形態に過ぎず、本発明はこれに限定されず、種々の変更形態および変形形態が当業者によって可能である。また、特許請求の範囲に規定される本発明の趣旨及び範囲に逸脱しない限り、あらゆる変更、均等な置換、および改良が可能であることを理解されたい。
【図１】
0005541755.tif 000015
【図２】
0005541755.tif 000016
【図３】
0005541755.tif 000017
【図４】
0005541755.tif 000018
【図５】
0005541755.tif 000019
【図６】
0005541755.tif 000020
【図７】
0005541755.tif 000021
【図８】
0005541755.tif 000022
【図９】
0005541755.tif 000023
【図１０】
0005541755.tif 000024